(57)【要約】      （修正有）【課題】従来の増毛結び器具を改造して、短い髪でも楽に作業ができ、作業の安全性が高く、しかも、作業性もよく、構造もシンプルで製造コストも安価になる増毛結び器具提供する。【解決手段】耐腐蝕性金属を素材とした柱状の握持部本体１を設け、該本体の一端部に、軸体２を植設し、該軸体の先端部に、弾力性を有し、全体の形状がクエッション・マーク状のフック２ａ，２ａ′を、同一線上よりややずれて相対向して設け、軸体の軸芯方向に近接可能に設け、また、該本体の他端部には、先端部の尖った細棒形状の針３を設けたことを特徴とし、また、耐腐蝕性金属を素材とした柱状の握持部本体を設け、該本体の一端部に、軸体を植設し、該軸体の先端部に、前記フックを、複数組み用い、これらの各フックを軸体の軸芯を向けて放射状に、かつ、近接可能に設け、また、該本体の他端部には、先端部の尖った細棒形状の針を設けたことを特徴とする。【選択図】図１
0003109081.tif 000002
【実用新案登録請求の範囲】
【請求項１】
耐腐蝕性金属を素材とした柱状の握持部本体（１）を設け、該本体の一端部に、軸体（２）を植設し、該軸体（２）の先端部に、弾力性を有し、全体の形状がクエッション・マーク状のフック（２ａ）（２ａ′）を、同一線上よりややずれて相対向して設け、軸体（２）の軸芯方向に近接可能に設け、また、該本体（１）の他端部には、先端部の尖った細棒形状の針（３）を設けたことを特徴とする増毛結び器具。
【請求項２】
耐腐蝕性金属を素材とした柱状の握持部本体（１）を設け、該本体の一端部に、軸体（２）を植設し、該軸体（２）の先端部に、弾力性を有し、全体の形状がクエッション・マーク状のフック（２ａ）（２ａ′）を、複数組み用い、これらの各フックを軸体（２）の軸芯を向けて放射状に、かつ、近接可能に設け、また、該本体（１）の他端部には、先端部の尖った細棒形状の針（３）を設けたことを特徴とする増毛結び器具。
【考案の詳細な説明】
【技術分野】
【０００１】
この考案は、抜け毛、他人毛或いは人工毛等から成る増毛を、頭皮側の毛根から生えている自毛に直接容易に結ぶのに用いる、増毛結び器具に関する。
【背景技術】
【０００２】
従来、増毛を自毛に直接容易に結ぶのに用いる、増毛結び器具は、まったくなく、本願出願人の開発した増毛結び器具だけであった。（例えば、登録第３０７２４０１号実用新案のように）
【特許文献１】登録第３０７２４０１号実用新案
【０００３】
しかしながら、この増毛結び器具は、増毛を自毛に直接容易に結ぶのに用い、片手で持てる筒形状の本体先端部の頭部に取り付けた、押し出し自在な針の細棒部に、フック先端内側曲部が常時弾性的に接触する機能を有する構造のものであるが、先端に押し出し自在な針の細棒部が、作業する際に危険であり、安全性に問題があった。
【０００４】
さらに、この増毛結び器具の構造が複雑であり、また、部品点数が多いため、コスト的にも高いものであった。
【考案の開示】
【考案が解決しようとする課題】
【０００５】
そこで、この考案は、従来の増毛結び器具を改造して、短い髪でも楽に作業ができ、作業の安全性が高く、しかも、作業性もよく、構造もシンプルで製造コストも安価になる増毛結び器具を開発・提供することにある。
【課題を解決するための手段】
【０００６】
上記の問題点を解決するために、耐腐蝕性金属を素材とした柱状の握持部本体を設け、該本体の一端部に、軸体を植設し、該軸体の先端部に、弾力性を有し、全体の形状がクエッション・マーク状のフックを、否同一線上で相対向して設け、軸体の軸芯方向に近接可能に設けて構成する増毛結び器具である。
【考案の効果】
【０００７】
この考案によると、握持部本体が、従来のパイプ状のものより径が小さくなったため、短い毛髪でも楽に作業ができる。
【０００８】
また、この考案の増毛結び器具には、鋼針を設けておらず、器具自体がシンプルな構造となり、制作コストも下がり、作業が安全に行えるようになり、しかも、作業性もよくなった。
【０００９】
この考案の増毛結び器具は、機能・構造が単純なので、保守し易く、安価に提供する事が出来る効果を有する。
【００１０】
この考案の増毛結び器具は、相対向するクエッション・マーク状のフックの谷間に、増毛及び自毛との束を押しつければ、これらフックの弾力によって、両フック内部に入れられるので、該束に動作上影響を与えることなく、該フック内部に入れた該束を容易に確保できる効果を有する。
【００１１】
この考案の増毛結び器具は、クエッション・マーク状のフックの幅が小さく、かつ、弾力性がよくなり、作業の結び目から引抜き時、クエッション・マーク状のフックの幅が小さくなり、作業性がよくなる等の極めて有益なる効果を有する。
【考案を実施するための最良の形態】
【００１２】
この考案の増毛結び器具は、耐腐蝕性金属を素材とした柱状の握持部本体（１）を設け、該本体の一端部に、ステンレスバネ線であり、直径１ｍｍの軸体（２）を植設し、該軸体（２）の先端部に、弾力性を有し、全体の形状がクエッション・マーク状のフック（２ａ）（２ａ′）を、同一線上よりややずれて相対向して設け、軸体（２）の軸芯方向に近接可能に設け、また、該本体（１）の他端部には、先端部の尖った細棒形状の針（３）を設けたことを特徴とする増毛結び器具から構成されるものである。
【００１３】
さらに、この考案の他の実施例を説明すると、耐腐蝕性金属を素材とした柱状の握持部本体（１）を設け、該本体の一端部に、軸体（２）を植設し、該軸体（２）の先端部に、弾力性を有し、全体の形状がクエッション・マーク状のフック（２ａ）（２ａ′）を、二組用い、これらフックを軸体（２）の軸芯を向けて放射状に、かつ、近接可能に設け、また、該本体（１）の他端部には、先端部の尖った細棒形状の針（３）を設けたことを特徴とする増毛結び器具から構成されるものである。
【００１４】
従って、これらのクエッション・マーク状のフック（２ａ）（２ａ′）は、軸体（２）の軸芯に対し、相対向して設けられており、また、他の実施例によると、フック（２ａ）（２ａ′）を二組用いて十字状にして、略ハートマークのように形成されていが、その上部のくぼみ部（Ａ）に、増毛および自毛を押圧すれば、フック（２ａ）（２ａ′）が弾力により外方向に拡がり、増毛および自毛は、ハートマークの内部に移動するものである。  
【００１５】
次に、この考案の増毛結び器具を用いた毛髪の結び方は、例えば、抜け毛、他人毛或いは人工毛等から成る増毛（Ｘ）を、頭皮側の毛根（Ｚ）から生えている自毛（Ｙ）に結ぶ場合、先ず、図５に示すように、指で増毛（Ｘ）及び自毛（Ｙ）を挟み、フック（１ａ）（１ａ′）を有する軸体（２）に巻回する。次に、軸体（２）を、増毛（Ｘ）及び自毛（Ｙ）を巻回した状態で傾け、毛根（Ｚ）側とは軸体（２）を挟んで反対側の増毛（Ｘ）及び自毛（Ｙ）をフック（２ａ）（２ａ′）をくぼみ部（Ａ）に差し込む。
【００１６】
そして、図６に示すように、増毛（Ｘ）及び自毛（Ｙ）を差し込まれたフック（２ａ）（２ａ′）を下方に移動させると、増毛（Ｘ）及び自毛（Ｙ）で大きな結び目（Ｂ）を形成する。
【００１７】
そして次に、大きな結び目（Ｂ）のまま、フック（２ａ）（２ａ′）を有する軸体（２）を下方に移動して大きな結び目から外し、本体（１）を逆にして、他端部に設けた先端部の尖った細棒形状の針（３）を、再度、大きな結び目に差し込む。
【００１８】
最後に、大きな結び目に差し込んだ細棒形状の針（３）を該結び目（Ｂ）を絞りながら、毛根（Ｚ）側に細棒形状の針（３）を寄せ、該結び目（Ｂ）を毛根（Ｚ）近傍で容易に絞り固定するものである。
【産業上の利用可能性】
【００１９】
この考案の製造技術を確立し、大量に製造・販売することにより産業上の利用可能性があるものである。
【図面の簡単な説明】
【００２０】
【図１】この考案の一実施例を示す正面図である。
【図２】この考案の一実施例を示す要部拡大正面図である。
【図３】この考案の一実施例を示す要部拡大平面図である。
【図４】この考案の他の実施例を示す要部拡大平面図である。
【図５】この考案の使用状態を示す説明図である。
【図６】この考案の使用状態を示す説明図である。
【符号の説明】
【００２１】
１  握持部本体
２  軸体
２ａ  フック
２ａ′フック
３  細棒形状の針
Ａ  くぼみ部
Ｂ  結び目
Ｘ  増毛
Ｙ  自毛
Ｚ  頭皮側の毛根
【図１】
0003109081.tif 000003
【図２】
0003109081.tif 000004
【図３】
0003109081.tif 000005
【図４】
0003109081.tif 000006
【図５】
0003109081.tif 000007
【図６】
0003109081.tif 000008